(57)【特許請求の範囲】
【請求項１】
相対向する２枚の側板及び２枚の妻板からなる成る角筒状胴部と、該胴部の下辺に付設したワンタッチ底を有する天面開口型の箱体において、
前記側板の上辺に折線を介して桟板を連設すると共に、該桟板を略コの字型に形成して妻板上辺側にも桟板を張り出させ、箱の天面開口部に平面的に見て額縁状に桟板が配設されるようにし、また前記妻板の上辺にも折線を介して折返し板を連設すると共に、該折返し板にその両端から内側に向かって延びる４５度の折線を設けて該折線の外側の領域に連結片を区画形成し、該連結片を介して前記桟板と前記折返し板とを互いに一体に接続させ、さらに折返し板の先端に差込片を延長形成すると共に、前記差込片の差込口を妻板側に設けたことを特徴とする桟付収納箱。
【請求項２】
前記妻板及び折返し板の相対する位置にそれぞれ手掛け孔を形成し、前記折返し板における手掛け孔の一辺に舌片を連接して成る請求項１記載の桟付収納箱。
【請求項３】
前記妻板の略中央に前記差込片の差込口を兼ねた手掛け孔を設け、該手掛け孔の下辺に係止突片を付設して成る請求項１又は２記載の桟付収納箱。
【発明の詳細な説明】
【０００１】
【産業上の利用分野】
本発明は、野菜、果物、パンなどの生鮮食品を主として収納する展示兼用の輸送箱であって、多段に積み重ねて使用するため天面開口に桟板を設けたもので、特に、ワンタッチ底を有し、箱胴部を筒状に貼り合わせた状態でシート状に折り畳むことができ、また、組立も簡便な桟付収納箱に関する。
【０００２】
【従来の技術】
従来の桟付収納箱は、例えば、図８〜９に示すとおりで、概ね妻面側にのみ桟が設けられ、この桟を組立てる際には各妻面毎に個別に作業する構造となっていた。
以下、従来型の構造を簡単に説明すると、図８の収納箱（Ａ）は、妻板（イ）の上辺に該板と同幅の桟板（ロ）を連設し、桟板（ロ）の両端に係止片（ハ）を設けて、内外二重の側板（ニ）の上端部に形成した係止孔（ホ）に挿入することによって桟板（ロ）を箱天面の妻面側に配設したものである（実公昭６２−５８３２１号公報参照）。
【０００３】
一方、図９の収納箱（Ｂ）は、妻板（イ）の上辺に該板と同幅の桟板（ロ）を連設し、この桟板（ロ）の両端に側板（ニ）の高さに相当する長さの支持片（ヘ）を連設すると共に、該支持片（ヘ）の先端には差込片（ト）を付設し、前記桟板（ロ）を箱天面に配設した上で前記差込片（ト）を側板（ニ）の基部両端に設けられた差込孔（チ）に挿入して桟板（ロ）を固定する構造である。加えて、桟板の下方、すなわち箱のコーナーに補強柱（リ）を配設することによって桟板（ロ）を底面と平行に保持する機能を高めている（実公平３−２６１２５号公報参照）。
【０００４】
上記従来型の収納箱（Ａ）と（Ｂ）は何れも、手作業で組み立てる方式の箱であり、側板、妻板、桟板等をそれぞれ個別に組立てていく必要があるため、作業性が悪いという問題があった。さらに、一旦箱を組立てた後は、組立て状態のままでは平面状に折り畳むことができず、不使用時には、組立状態のままで保管するか、組立て前のシート状態に箱全体を分解して保管するかの何れかであるので、収納効率がよくないという問題があった。
【０００５】
また、この種の箱は、多段積みすることを目的として桟板が設けられているのであるが、収納箱（Ａ）は、桟板（ロ）が幅の狭い二重側板（ニ）のみを支持台とし、且つ係止片（ハ）を係止孔（ホ）に挿入するだけで固定する構造であったため、積載時の荷重によって桟板（ロ）が内側に凹んでしまう可能性があった。他方、収納箱（Ｂ）は、桟板（ロ）を保持する機能は箱（Ａ）に比べ優れているが、そのために箱のコーナー部分に補強柱（リ）を配設し、支持片（ヘ）と共に桟板（ロ）を保持するという複雑な構造を必要としていた。
加えて、収納箱（Ａ）と（Ｂ）は何れも、箱の相対向する側、すなわち側面側の一対若しくは妻面側の一対のどちらか一方にしか桟板（ロ）を設ける以外になかったから、支持面積が小さく、耐圧強度という点では不十分なものがあった。
【０００６】
【発明が解決しようとする課題】
そこで、本発明は、前述の従来品における問題点を解決するべく、簡易な構造で且つ強度の高い桟板を設け、側面の一対若しくは側面及び妻面の４周に設けた桟板の組立てを一括に行えるようにして組立作業効率をよくし、さらに、箱の不使用時には、ワンタッチ底を組立て、胴部を筒状に貼り合わせた状態、いわば半製品の状態で平面状に折り畳むことができる桟付収納箱を提供することを目的とする。
【０００７】
【課題を解決するための手段】
請求項1に記載の本発明は、相対向する２枚の側板及び２枚の妻板からなる成る角筒状胴部と、該胴部の下辺に付設したワンタッチ底を有する天面開口型の箱体において、
前記側板の上辺に折線を介して桟板を連設すると共に、該桟板を略コの字型に形成して妻板上辺側にも桟板を張り出させ、箱の天面開口部に平面的に見て額縁状に桟板が配設されるようにし、また前記妻板の上辺にも折線を介して折返し板を連設すると共に、該折返し板にその両端から内側に向かって延びる４５度の折線を設けて該折線の外側の領域に連結片を区画形成し、該連結片を介して前記桟板と前記折返し板とを互いに一体に接続させ、さらに折返し板の先端に差込片を延長形成すると共に、前記差込片の差込口を妻板側に設けたことを特徴とする。
【０００８】
請求項２記載の本発明は、前記妻板及び折返し板の相対する位置にそれぞれ手掛け孔を形成し、前記折返し板における手掛け孔の一辺に舌片を連接して成る。また請求項３に記載の本発明は、前記妻板の略中央に前記差込片の差込口を兼ねた手掛け孔を設け、該手掛け孔の下辺に係止突片を付設して成る。
【０００９】
【発明の効果】
請求項１記載の本発明の収納箱は、折返し板に４５度の折線を設けて連結片を区画形成した上で、該連結片と桟板とを一体に接続させたことにより、折返し板を外側に折り返す作業だけで、桟板を一括で且つ自動的に箱の開口面に配設することができる。すなわち、折返し板を外方向へ折り返す作業を行うと、連結片が、４５度の折線によって前記折返し板の外面に折り重ねられる。さらに、折り重ねられた連結片は桟板に接続しているため、桟板はこの連結片に誘導されて自動的に箱開口面に配設される。
【００１０】
前記桟板は、箱組立時には、折返し板を外側へ折り返すことによって連結片を介して外方向に引っ張られているため、水平状態に保持されて積み重ね時の箱の荷重で凹んでしまうことがない。
さらに、不使用時には、折返し板を垂直に立ち上げておけば、角筒状の箱を平面状に折り畳むことができ、且つ、折り畳んだ全体が略矩形状に収まる、すなわち構成部材の一部が矩形からはみ出すことがなく、集積保管効率がよい。
【００１１】
請求項１記載の本発明の収納箱は、側面側の桟板から妻面側の桟板を延長して形成するため、妻面（若しくは側面）側にみに桟板を構成させたものに比べて、支持面積を広く構成することができ、箱積載時の桟板の強度を高めることができる。
【００１２】
請求項２記載の本発明の収納箱は、手掛け孔を設けたことによって箱の持ち運びに便利となり、且つ折返し板の手掛け孔に舌片を設けて該舌片を内側へ折り曲げることによって手掛け孔の切断面を覆うことができるようにしたため、直接切断面に手が触れず、持ちやすい。請求項３記載の本発明の収納箱は、手掛け孔を設けたことによって箱の持ち運びに便利となり、且つ該手掛け孔が折返し板の差込片の差込口として兼用することができるため、別途差込片の差込口を形成する必要がなく、箱の構造をよりシンプルにすることができる。また、前記手掛け孔に係止突片を付設したことにより挿入された差込片が該係止突片に掛け止められ、不用意にはずれてしまうことがない。
【００１４】
【発明の実施の形態】
本発明の桟付収納箱は、板紙、段ボール、プラスチックなど比較的剛性のある素材であれば特に限定されることはないが、好ましくは段ボールが用いられる。また、桟板の形状は特に限定されないが、桟板の強度及び見た目のよさからいえば、コの字型に形成して天面開口部に額縁状に配設するのがもっと好ましい。
【００１５】
【実施例】
以下、本発明の実施の一例を図面に基づいて具体的に説明する。図１〜４に示す収納箱１は、図３に示すような展開形状を有するシート１ａに打ち抜いた上で組立てる。すなわち、図３の展開図において側板２、３及び妻板４、５を交互に横方向に折線を介して連設すると共に、側板２の開放端に糊代片６を付設する。
【００１６】
側板２、３の上辺に折線を介して略コの字型の桟板７、８を形成させ、妻板４、５の上辺には折線を介して略台形状の折返し板９、１０を形成させる。この折返し板９、１０は、その根元部の両端から内側へ向かって延びる４５度の折線９ａ、１０ａで区画すると共に、該４５度折線９ａ、１０ａで区画された領域の外側に略三角形状の連結片９ｂ、１０ｂを形成する。さらに、この連結片９ｂ、１０ｂは前記桟板７、８に接続させ、折返し板９、１０と桟板７、８とが前記連結片９ｂ、１０ｂを挟んで連続するように構成する。前記連結片９ｂ、１０ｂの根元部分に略三角形の切欠１３を設け、前記折返し板９、１０の先端に差込片１１、１２を延長形成する。
【００１７】
前記折返し板９、１０の略中央には手掛け用の孔１５、１６を形成し、該手掛け孔１５、１６の下辺に舌片１７、１８を折線を介して付設する。妻板４、５にも手掛け孔１９、２０を形成する。前記両手掛け孔１５と１９、１６と２０とは、箱を組立てた際に互いに孔の位置が一致するように対応させて形成される。
【００１８】
また、妻板の下辺中央には前記折返し板の先端に連設された差込片１１、１２を咬み込ませる差込口２１、２２を刻設すると共に、該差込口２１、２２に連接する指掛孔２３、２４を設ける。
【００１９】
前記側板２、３及び妻板４、５の下辺には、ワンタッチ底を構成する底フラップ２５、２６、２７、２８をそれぞれ折線を介して付設し、該底フラップ２５、２７には４５度の折線２５ａ、２７ａを設けておく。
【００２０】
上記構成の本発明の桟付収納箱１を組立てるには、底フラップ２５、２７の折線２５ａ、２７ａで区画された一部を隣り合う底フラップ２６、２８に貼着し、対向するフラップ２５とフラップ２７とは貼り合わせずに分離可能にしてワンタッチ底を形成する。ちなみに、底フラップの接合は従来より公知の方法であり、製函機により機械貼りすることができる。
【００２１】
続いて、側板２、３及び妻板４、５を角筒状に折り曲げ、糊代片６を妻板５に貼着することによって胴部を形成する。これに伴って、前記側板及び妻板の上辺に形成された桟板７、８、折返し板９、１０及び連結片９ｂ、１０ｂも角筒状に折り曲げられるので、桟板７に付設された糊代片１４を連結片１０ｂに貼着する。
【００２２】
以上の状態に組立てたところで、前記ワンタッチ底を折線２５ａ、２７ａを介して平面状に折り畳めば、収納箱１は、図４に示すようにシート状に折り畳まれ、全体が矩形状に収まる形となるため、かさばらずに集積保管することができる。
【００２３】
収納箱１を使用する際には、胴部を角筒状に開いてワンタッチ底を組み立てた上で、図１に示すように、折返し板９、１０を妻板の外側へ折り返す。このとき、連結片９ｂ、１０ｂは４５度折線９ａ、１０ａを介して前記折返し板９、１０上に折り重ねられ、桟板７、８は連結片９ｂ、１０ｂに接続されているため、前記折返し作業に連動して天面開口部に額縁状に自動的に配設される（図１及び２参照）。すなわち、４５度折線９ａ、１０ａを設けて折返し板９、１０に区画形成した連結片９ｂ、１０ｂと桟板７、８とを接続させたことにより、折返し板９、１０を妻板の外側へ折り返す作業だけで、桟板７、８の配設が自動的に行われる。
【００２４】
次いで、差込片１１、１２を差込口２１、２２に挿入して折返し板９、１０並びに桟板７、８を固定し、折返し板９、１０の手掛け孔１５、１６に設けられた舌片１７、１８を箱の内側へ折り込んで組立が完了する（図２参照）。
箱の組み立て完成状態においては、折返し板９、１０の折り曲げ部分と連結片９ｂ、１０ｂの桟板７、８との間の折り曲げ部分とが重なって二重構造となり、特に４５度折線９ａ、１０ａの根元は折返し面積が小さいためシートの厚みによって部材にひずみが生じやすい。そこで、連結片９ｂ、１０ｂの根元部分に切欠１３を設けることによって、前記ひずみを生じないようにしたものである。
【００２５】
前記収納箱１は繰り返して使用する、いわゆる通い箱として用いられる場合もあり、この場合は差込口に設けられた指掛孔２３、２４を利用して差込片１１、１２を引き出し、折返し板９、１０を立ち上げることによって桟板７、８が自動的に立ち上がり、図４に示すような矩形のシート状に折り畳んで再利用するまでの間保管しておくことができる。
【００２６】
なお、図１及び図３に２点鎖線で示すように、桟板を開口部の側面側のみに形成させることも可能である。すなわち、桟板と折返し板とを連結片で接続するという要件さえ満たしていれば、桟板の形状や配設箇所、連結片の大きさや形状等は任意に決めることができる。
【００２７】
続いて、本発明の収納箱の他の実施例について説明する。他の実施例として図５〜７に示す収納箱１’は、図５に示すような展開形状を有するブランクシート１’ａに打ち抜いてこれを組み立てる。この収納箱１’は、先に説明した収納箱１と概ね同じ構成であるが、妻板の略中央に設けた手掛け孔１９、２０を差込口として兼用させるようにした点に違いがある。なお、同一部分については同一符号を付して示した。すなわち、折返し板９、１０は桟板７、８及び連結片９ｂ、１０ｂとほぼ同程度の高さに形成し、妻板４、５には、この折返し板９、１０を妻板４、５上に折り返したときに先端の差込片１１、１２が差し込まれる位置に手掛け孔１９、２０を形成する。該手掛け孔１９、２０の下辺には、切込２９ａ、３０ａと折線２９ｂ、３０ｂとで区画形成する係止突片２９、３０を設ける。この係止突片２９、３０は、その端部が手掛け孔の内周にはみ出るように形成されている。さらに、前記手掛け孔１９、２０は折返し板９、１０の先端に延長形成した差込片１１、１２の幅より若干狭い幅に形成させる。
【００２８】
本件実施例の収納箱１’のように、箱の深さを深く構成した場合、妻板の下辺に差込口を形成したのでは折返し板を妻板の高さと同程度の長さに延長形成する必要が生じてしまうが、前述のように妻板４、５の中程に形成した手掛け孔１９、２０を差込口とすれば折返し板は桟板７、８及び連結片９ｂ、１０ｂとほぼ同程度の高さで足りる。
【００２９】
前記収納箱１’の組立は、ワンタッチ底及び胴部を順に組み立てて折返し板を外側へ折り返す作業まで前記収納箱１と同じに行い、差込片１１、１２は手掛け孔１９、２０に挿入する。その際、前記差込片１１、１２は若干湾曲させながら手掛け孔１９、２０に押し込むと共に係止突片２９、３０の内側に配置させるように構成する（図７参照）。このようにすれば、差込片１１、１２は手掛け孔１９、２０より幅が広いため孔から抜け出ないし、且つ係止突片２９、３０によっても差込片１１、１２は押し止められているため、確実に折返し板を固定しておくことができる。
【図面の簡単な説明】
【図１】本発明の一実施例である桟付収納箱１の折返し板を折り返すことによって桟板が天面に配設されることを示す斜視図。
【図２】同上収納箱１の組立完成状態を示す斜視図。
【図３】同じく収納箱１の展開図。
【図４】同上収納箱１のシート状に折り畳んだ状態を示す平面図。
【図５】本発明の他の実施例である桟付収納箱１’の展開図。
【図６】（ａ）（ｂ）共に、前図に示す収納箱１’の組立状態を示す斜視図。
【図７】同じく前図に示す収納箱１’の手掛け孔部分を拡大して示す斜視図。
【図８】従来型の収納箱の一例を示す斜視図。
【図９】従来型の収納箱の他の例を示す斜視図。
【符号の説明】
１、１’、Ａ、Ｂ  桟付収納箱
１ａ、１’ａ  シート
２、３、ニ  側板
４、５、イ  妻板
６、１４  糊代片
７、８、ロ  桟板
９、１０  折返し板
９ａ、１０ａ、２５ａ、２７ａ  ４５度折線
９ｂ、１０ｂ  連結片
１１、１２  差込片
１３  切欠
１５、１６、１９、２０  手掛け孔
１７、１８  舌片
２１、２２  差込口
２３、２４  指掛け孔
２５、２６、２７、２８  底フラップ
２９、３０  係止突片
ハ  係止片
ホ  係止孔
ヘ  支持片
ト  差込片
チ  差込孔
リ  補強柱
【図１】
0004147364.tif 000002
【図２】
0004147364.tif 000003
【図３】
0004147364.tif 000004
【図４】
0004147364.tif 000005
【図５】
0004147364.tif 000006
【図６】
0004147364.tif 000007
0004147364.tif 000008
【図７】
0004147364.tif 000009
【図８】
0004147364.tif 000010
【図９】
0004147364.tif 000011